(57)【要約】      （修正有）【課題】簡単に取りつけることができ、軽量かつコンパクトなスノーボード先端保護具を提供する。【解決手段】スノーボードの先端部側面を覆うように装着し、平面形状はスノーボードの先端と同じＵ字型であり、断面形状はＬ字型やコの字型の形状の、プラスチック又はゴム等の弾性材料からなる本体と、本体上部もしくは内部に発光装置を搭載し、電池を納める電源部およびスイッチ等を含めた制御装置と、それぞれの装置の間の電気配線を併せ持つ。【選択図】図２
0003166041.tif 000002
【実用新案登録請求の範囲】
【請求項１】
断面形状がスノーボード先端部側面を覆うように屈曲し、平面形状がスノーボードの先端と同じ
U字型の形状の、プラスチック又はゴム等の弾性材料からなる本体と、
本体上部もしくは内部に発光装置を搭載し、電池を納める電源部およびスイッチ等を含めた制御装置と、
それぞれの装置の間の電気配線を併せ持ち、貼り付け、又は挟み込むことにより固定される
スノーボード用先端保護具。
【考案の詳細な説明】
【技術分野】
【０００１】
電灯付きスノーボード保護具に関するものである。
【背景技術】
【０００２】
発光装置を備えたスノーボード板としては、例えば、特開2003-19035号のような、
少なくとも１個の電灯、電灯に給電する電池及び電灯と電池の間を断続するスイッチを含む
電灯ユニットを取り付けてなる、雪上滑走ボードや
特開2007-296155号のような、透光性のソール部材を有した本体と、本体中央に配置された
電力によって発光する接雪点間発光装置とを備え、  発光装置は前記ソール部材に覆われた状態で
前記本体に内蔵されて前記ソール部材を介して前記本体の外部を照射する位置に
配置されたことを特徴とする雪上滑走用具といった、
スノーボード本体の内部や上部に発光装置を持つものが知られている。
また、スノーボード用先端保護具として特開平10-085384号のような
スノーボードの長手方向両端縁部の両方又はいずれか一方の先端部の端面と
縁部表裏面を覆うように装着する、平面形状略馬蹄形とした合成樹脂又はゴム等弾性材料
からなる先端保護具の内側端面に、スノーボートの端縁部が挿入され、保護具形成部
材自体又はこれに具備させた弾圧手段により挟着される溝を形成したことを特徴とする
スノーボード先端保護具が知られている。
【先行技術文献】
【特許文献】
【０００３】
【特許文献１】特開2003-190356号公報
【特許文献２】特開2007-296155号公報
【特許文献３】特開平10-085384号公報
【考案の概要】
【考案が解決しようとする課題】
【０００４】
スノーボード使用時においては、持ち運ぶ際の先端への衝撃等で傷や割れ、欠け
が生じる恐れがあるほか、滑走時についても立ち木、コース上の人工物、リフトの乗降時に
設備等へ接触することにより先端部分に破損の可能性があり、このことにより性能の低下、
外観の悪化等を生じるという問題があった。
また、山の天候は変わりやすく、霧や吹雪等の悪天候時やナイター滑走時には
事故防止の観点から周囲の滑走者へ自分を認知させることは重要な課題である。
しかし、特許文献１および特許文献２のスノーボードにおいては、スノーボード自体に
加工や取付を行うものであるため、スノーボードの強度の低下、重量増といった問題があり、
発光部位も先端ではなく内部であったりデッキ上であるため、照射方向が上部および下部への
照射となり、周囲への視認性が適切に向上するとは言い難いものである。
また、発光装置が組み込まれている構造の為、容易に取付、取り外しは行えないものであった。
特許文献３の保護具に関しては視認性の向上を目的としているものではなく、
そのような機能も備えられていない。
【課題を解決するための手段】
【０００５】
本考案は、上記課題を解決するため、平面形状はスノーボードの先端と同じU字型であり、
断面形状がL字型やコの字型の形状をもち、両面テープや接着剤等でスノーボード先端部に
固定することでスノーボードの先端部側面を保護する機能を有した本体と、
本体上部もしくは内部にLED（発光ダイオード）やELシート等の発光装置を搭載し、
電池を納める電源部およびスイッチ等を含めた制御装置を併せ持つことを特徴とした
スノーボード用先端保護具である。
【考案の効果】
【０００６】
本考案のスノーボード用先端保護具は、スノーボード先端の半円形の円周部に簡単に取りつけることが
出来るため、現在販売されているあらゆるスノーボードに取り付けが行えるという利点がある。
また、発光部がスノーボードの先端部分であり、発光部の照射方向を進行方向に対して前方および
前方斜め上方向へ向けることで、周囲への視認性を適切に向上させることが出来るという利点も併せ持つ。
また、LED(発光ダイオード)やELシートといった小型、薄型の発光部材を用いることで、
軽量かつコンパクトな形状とすることが出来る。
【図面の簡単な説明】
【０００７】
【図１】図１は本考案のスノーボード用先端保護具を取り付けた上面図である。
【図２】図２は本考案のスノーボード用先端保護具の概要を示した斜視図である。（実施例１）
【図３】図３は本考案のスノーボード用先端保護具の実施例１の断面図である。
【符号の説明】
【０００８】
１    スノーボード
２    本体
３    スイッチ付きバッテリーボックス
４    LED（発光ダイオード）
５    発光素子
６    内部配線
７    シリコンチューブ
８    両面テープ
【考案を実施するための形態】
【０００９】
以下、本考案の実施形態を、図面を用いて説明する。
【実施例１】
【００１０】
図１は、スノーボードの前方のみに本考案のスノーボード用先端保護具を取り付けた図であるが、
本考案のスノーボード用先端保護具は前方および後方どちらにも取り付けできるものである。
【００１１】
図２は、平面形状はスノーボードの先端と同じU字型とし、断面にL字型の構造を持つ、
プラスチック又はゴム等で形成された柔軟性を持つ本体２の上部に
１０個のLED４を備えた実施例である。
LEDの他、ELシート等の薄型発光素材を使用してもよい。
スノーボード１とは両面テープや接着剤などで固定する。
なお、バッテリーボックス３には電池および電路開閉器を納めたものである。
バッテリーボックス３は内部に水滴が浸透しない構造が望ましい。
電池にはボタン電池、乾電池のほか太陽光電池と蓄電池を組み合わせても良い。
電路開閉器にはON/OFFスイッチや振動スイッチのほか照度スイッチやリモコンスイッチなどを
組み合わせても良い。
スイッチ操作によりLEDの点灯状態を点灯、点滅のほか、左右に流れるパターンで
点灯させるといったパターン点灯を行う機能を搭載することで電飾的な効果を高めることも可能である。
【００１２】
図３は  図２の断面図である。
スノーボード１の先端部側面を覆う形状の本体２を、両面テープ８にて貼り付けて固定されている。
本体２の上部にはLED４および内部配線６を搭載し、それらをシリコンチューブ７で覆うことで
防水機能を持たせると同時に衝撃から回路を保護するものである。
LED４の発光素子５は進行方向に平行に向けて取り付けてあるが、上方や斜め前方へ照射しても良い。
発光色としては雪上および夜間の使用時に視認性を高める目的であるため、赤、オレンジ、黄色など
暖色系が誘目性が高いと言われており、適していると考えられるが、LEDは輝度が高い為、
緑、青、紫、白色でも良い。
また、複数の色のLEDを組み合わせることで電飾的な効果を高めることも可能である。
【実施例２】
【００１３】
実施例２として、断面をコの字型の構造とした本体２を、スノーボード１の厚みに合わせた
サイズにすることで、スノーボード１に挟み込み固定する方法を用いても良い。
その他の構造は実施例１と同様とする。
【図２】
0003166041.tif 000003
【図１】
0003166041.tif 000004
【図３】
0003166041.tif 000005